(57)【要約】【課題】特定の患者を治療すべき血液浄化手段の変更を容易に行わせることができるとともに、血液浄化治療における稼働率を向上させることができる血液浄化システムを提供する。【解決手段】複数の血液浄化手段１と、患者の固有情報及びその患者の治療条件に関する情報を記憶可能とされるとともに、当該患者の固有情報及び治療条件に関する情報を特定の血液浄化手段１に送信し得る中央管理手段２とを具備した血液浄化システムであって、血液浄化手段１のそれぞれに配設され、患者を特定し得る患者特定情報、及び血液浄化手段１を特定し得る血液浄化手段特定情報を中央管理手段２に送信し得る治療側送信手段９と、中央管理手段２に配設され、患者特定情報にて特定された患者の治療条件を血液浄化手段特定情報にて特定された血液浄化手段１に送信し得る中央側送信手段とを備えたものである。【選択図】図１
2015181726.tif 000002
【特許請求の範囲】
【請求項１】
患者に血液浄化治療を施すための血液浄化器が取り付けられる複数の血液浄化手段と、
患者の固有情報及びその患者の治療条件に関する情報を記憶可能とされるとともに、当該患者の固有情報及び治療条件に関する情報を特定の血液浄化手段に送信し得る中央管理手段と、
を具備した血液浄化システムであって、
前記血液浄化手段のそれぞれに配設され、患者を特定し得る患者特定情報、及び血液浄化手段を特定し得る血液浄化手段特定情報を前記中央管理手段に送信し得る治療側送信手段と、
前記中央管理手段に配設され、前記患者特定情報にて特定された患者の治療条件を前記血液浄化手段特定情報にて特定された血液浄化手段に送信し得る中央側送信手段と、
を備えたことを特徴とする血液浄化システム。
【請求項２】
前記血液浄化手段は、治療過程の患者又は機器の状態を表示する表示手段を具備するとともに、前記中央側送信手段から送信された患者の治療条件を当該表示手段にて表示し得ることを特徴とする請求項１記載の血液浄化システム。
【請求項３】
前記中央側送信手段は、前記患者特定情報にて特定された患者の治療条件に加え、その特定された患者の固有情報、又はその患者の治療に必要な準備物を前記血液浄化手段に送信し得るとともに、当該中央側送信手段から送信された患者の固有情報及び準備物を前記血液浄化手段の表示手段にて表示し得ることを特徴とする請求項２記載の血液浄化システム。
【請求項４】
前記表示手段は、画面の所定部位を触れることにより所定の入力が可能なタッチパネルから成るとともに、当該タッチパネルにて前記患者特定情報及び血液浄化手段特定情報を入力可能とされたことを特徴とする請求項２又は請求項３記載の血液浄化システム。
【請求項５】
前記中央管理手段は、前記血液浄化手段特定情報にて特定された血液浄化手段が前記患者特定情報にて特定された患者に適切か否かを判定する判定手段を具備したことを特徴とする請求項１〜４の何れか１つに記載の血液浄化システム。
【発明の詳細な説明】
【技術分野】
【０００１】
本発明は、患者に血液浄化治療を施すための血液浄化器が取り付けられる複数の血液浄化手段と、患者の固有情報及びその患者の治療条件に関する情報を記憶可能とされるとともに、当該患者の固有情報及び治療条件に関する情報を特定の血液浄化手段に送信し得る中央管理手段とを具備した血液浄化システムに関するものである。
【背景技術】
【０００２】
透析治療などで用いられる血液浄化装置としての透析装置は、例えば特許文献１にて開示されているように、病院等の医療施設内に設けられた透析室に複数設置され、当該透析室内で多数の患者に対する透析治療（血液浄化治療）が施されるようになっている。かかる透析室内には、透析治療（血液浄化治療）に関係する患者の管理データ（治療前の患者の体重や血圧等）を記憶するサーバ（中央管理手段）が設置されており、その管理データを個々の透析装置に送信して表示可能とされていた。
【０００３】
例えば、患者が透析治療を行う際、先ず体重計や血圧計にて治療前の体重及び血圧等を計り、その値を中央管理手段に送信して患者の固有情報として記憶させ得るよう構成されていた。そして、中央管理手段は、かかる患者の固有情報に基づいて、その患者の治療条件を演算等にて求め、その求められた治療条件を透析装置に送信することで、患者毎に最適な血液浄化治療が行われるようになっていた。一方、どの患者がどの透析装置にて透析治療が行われるのかは、中央管理手段にて治療前に予め設定（スケジュールとして設定）されており、体重計や血圧計にて体重、血圧を測定した患者は、その予め設定された透析装置に案内されて所定の治療が施されることとなる。
【先行技術文献】
【特許文献】
【０００４】
【特許文献１】特開２０１２−２４９７４８号公報
【発明の概要】
【発明が解決しようとする課題】
【０００５】
しかしながら、上記従来の血液浄化システムにおいては、特定の患者を治療すべき血液浄化手段が中央管理手段にて治療前に予め設定されているので、血液浄化手段が故障等して他の血液浄化手段に変更する場合、担当の医療従事者が中央管理手段まで行き、患者の固有情報等の送付先の設定を変更する必要があり、作業が煩わしくなってしまうという問題があった。また、血液浄化治療時間は、通常、治療前の患者の体重等によって異なるため、治療が終了した患者から順次退室するのであるが、特定の患者を治療すべき血液浄化手段が中央管理手段にて治療前に予め設定されているので、治療が終了して空いた血液浄化手段にて順次患者を治療させることが困難とされ、血液浄化治療における稼働率が低下してしまうという問題があった。
【０００６】
本発明は、このような事情に鑑みてなされたもので、特定の患者を治療すべき血液浄化手段の変更を容易に行わせることができるとともに、血液浄化治療における稼働率を向上させることができる血液浄化システムを提供することにある。
【課題を解決するための手段】
【０００７】
請求項１記載の発明は、患者に血液浄化治療を施すための血液浄化器が取り付けられる複数の血液浄化手段と、患者の固有情報及びその患者の治療条件に関する情報を記憶可能とされるとともに、当該患者の固有情報及び治療条件に関する情報を特定の血液浄化手段に送信し得る中央管理手段とを具備した血液浄化システムであって、前記血液浄化手段のそれぞれに配設され、患者を特定し得る患者特定情報、及び血液浄化手段を特定し得る血液浄化手段特定情報を前記中央管理手段に送信し得る治療側送信手段と、前記中央管理手段に配設され、前記患者特定情報にて特定された患者の治療条件を前記血液浄化手段特定情報にて特定された血液浄化手段に送信し得る中央側送信手段とを備えたことを特徴とする。
【０００８】
請求項２記載の発明は、請求項１記載の血液浄化システムにおいて、前記血液浄化手段は、治療過程の患者又は機器の状態を表示する表示手段を具備するとともに、前記中央側送信手段から送信された患者の治療条件を当該表示手段にて表示し得ることを特徴とする。
【０００９】
請求項３記載の発明は、請求項２記載の血液浄化システムにおいて、前記中央側送信手段は、前記患者特定情報にて特定された患者の治療条件に加え、その特定された患者の固有情報、又はその患者の治療に必要な準備物を前記血液浄化手段に送信し得るとともに、当該中央側送信手段から送信された患者の固有情報及び準備物を前記血液浄化手段の表示手段にて表示し得ることを特徴とする。
【００１０】
請求項４記載の発明は、請求項２又は請求項３記載の血液浄化システムにおいて、前記表示手段は、画面の所定部位を触れることにより所定の入力が可能なタッチパネルから成るとともに、当該タッチパネルにて前記患者特定情報及び血液浄化手段特定情報を入力可能とされたことを特徴とする。
【００１１】
請求項５記載の発明は、請求項１〜４の何れか１つに記載の血液浄化システムにおいて、前記中央管理手段は、前記血液浄化手段特定情報にて特定された血液浄化手段が前記患者特定情報にて特定された患者に適切か否かを判定する判定手段を具備したことを特徴とする。
【発明の効果】
【００１２】
請求項１の発明によれば、血液浄化手段のそれぞれに配設され、患者を特定し得る患者特定情報、及び血液浄化手段を特定し得る血液浄化手段特定情報を前記中央管理手段に送信し得る治療側送信手段と、中央管理手段に配設され、患者特定情報にて特定された患者の治療条件を血液浄化手段特定情報にて特定された血液浄化手段に送信し得る中央側送信手段とを備えたので、特定の患者を治療すべき血液浄化手段の変更を容易に行わせることができるとともに、血液浄化治療における稼働率を向上させることができる。
【００１３】
請求項２の発明によれば、血液浄化手段は、治療過程の患者又は機器の状態を表示する表示手段を具備するとともに、中央側送信手段から送信された患者の治療条件を当該表示手段にて表示し得るので、中央側送信手段から送信された患者の治療条件を医療従事者等に視認させることができ、より円滑な治療を行わせることができる。
【００１４】
請求項３の発明によれば、中央側送信手段は、患者特定情報にて特定された患者の治療条件に加え、その特定された患者の固有情報、又はその患者の治療に必要な準備物を血液浄化手段に送信し得るとともに、当該中央側送信手段から送信された患者の固有情報及び準備物を血液浄化手段の表示手段にて表示し得るので、中央側送信手段から送信された患者の治療条件、患者の固有情報又は準備物を医療従事者等に視認させることができ、より円滑な治療準備や治療を行わせることができる。
【００１５】
請求項４の発明によれば、表示手段は、画面の所定部位を触れることにより所定の入力が可能なタッチパネルから成るとともに、当該タッチパネルにて患者特定情報及び血液浄化手段特定情報を入力可能とされたので、血液浄化手段における入力及び表示を円滑且つ容易に行わせることができる。
【００１６】
請求項５の発明によれば、中央管理手段は、血液浄化手段特定情報にて特定された血液浄化手段が患者特定情報にて特定された患者に適切か否かを判定する判定手段を具備したので、患者特有の事情に応じた適切な治療を行わせることができる。
【図面の簡単な説明】
【００１７】
【図１】本発明の実施形態に係る血液浄化システムを示す全体模式図
【図２】同血液浄化システムにおける血液浄化手段を示す模式図
【図３】同血液浄化システムにおける血液浄化手段と中央管理手段との間の通信を示すタイムチャート
【図４】同血液浄化システムにおける血液浄化手段と中央管理手段との間の通信（予め特定の患者に対して特定の血液浄化手段が割り当てられていない場合）を示すタイムチャート
【図５】同血液浄化システムにおける血液浄化手段と中央管理手段との間の通信（他の血液浄化手段に変更する場合）を示すタイムチャート
【発明を実施するための形態】
【００１８】
以下、本発明の実施形態について図面を参照しながら具体的に説明する。
本実施形態に係る血液浄化システムは、複数の患者に透析治療を施し得る所謂「透析治療用セントラルシステム」と称されるもので、図１に示すように、複数の血液浄化手段１と、これら血液浄化手段１と電気的に接続された中央管理手段２とから主に構成されている。なお、各血液浄化手段１の近傍には、患者が横臥し得るベッドＢがそれぞれ設置されており、当該ベッドＢに横臥又は着座した患者に対して血液浄化手段１にて透析治療が行われるようになっている。
【００１９】
血液浄化手段１は、透析室に複数設置されたもので、患者に血液浄化治療（血液透析治療）を施すためのダイアライザ（血液浄化器）が取り付けられ、図示しない透析液供給装置から供給された透析液を当該ダイアライザ（血液浄化器）に供給し得るよう構成されている。かかる血液浄化手段１は、図２に示すように、表示手段としてのタッチパネル８を具備しており、当該タッチパネル８の画面の所定部位を触れることにより所定の入力が可能とされている。
【００２０】
タッチパネル８は、所定の表示機能（表示手段としての表示機能）と入力機能（入力手段としての入力機能）とを兼ね備えたもので、例えば治療過程の患者又は機器の状態を表示するとともに、血液透析治療に関わるパラメータ（例えば図示しない血液ポンプや除水ポンプの駆動速度等）を入力し得るようになっている。かかるタッチパネル８は、透析装置本体の上部において正面を向いて取り付けられており、医師等医療従事者が表示を目視し、所定の入力操作（画面への操作）を可能としている。なお、タッチパネル８が左右方向に回転可能なものとしてもよい。
【００２１】
また、本実施形態に係る血液浄化手段１は、例えば双方向通信可能なＬＡＮ（ローカルエリアネットワーク：構内通信網）を構成する配線Ｈ２にて中央管理手段２と電気的に接続されるとともに、治療側送信手段９と、受信手段１０と、制御手段１１とを有して構成されている。受信手段１０は、中央管理手段２から送信された情報（例えば、患者の固有情報及びその患者の治療条件に関する情報）を受信し得るものである。制御手段１１は、受信手段１０にて受信した情報や血液浄化手段１にて入力された設定に基づいて血液浄化治療を行わせるべく種々機器を制御するものである。
【００２２】
治療側送信手段９は、患者を特定し得る患者特定情報、及び血液浄化手段１を特定し得る血液浄化手段特定情報を中央管理手段２に送信し得るものであり、本実施形態においては、患者特定情報及び血液浄化手段特定情報がタッチパネル８にて入力され得るようになっている。例えば、患者の氏名や患者毎に付与された識別コード等をタッチパネル８にて入力することで、その血液浄化手段１にて治療する患者を特定することができるとともに、血液浄化手段１毎に付与された識別コード、又は血液浄化手段１に対応して設置したベッドＢに付与された識別コード等をタッチパネル８にて入力することで、その入力対象の血液浄化手段１を特定することができるのである。
【００２３】
なお、患者特定情報や血液浄化手段特定情報を入力するための手段は、タッチパネル８に限らず、別個に具備した入力手段としてもよく、例えば別個のキーボードやテンキー、或いはＲＦＩＤ、バーコード、バイオメトリクス等による入力、画像認識等による自動認識、音声認識等による入力を行わせるものであってもよい。また、血液浄化手段特定情報については、血液浄化手段１に予め付与された識別コードを入力された患者特定情報と共に自動的に送信するもの（すなわち、血液浄化手段特定情報の入力を治療前に必要としないもの）であってもよい。
【００２４】
中央管理手段２は、双方向通信可能なＬＡＮを構成する配線Ｈ１、Ｈ２により各血液浄化手段１及び体重計Ｄとそれぞれ電気的に接続され、互いの情報の送受信が可能とされたもので、記憶手段３と、受信手段４と、演算手段５と、中央側送信手段６と、判定手段７とを有して構成されている。なお、体重計Ｄは、治療前の患者の体重（患者の固有情報）を測定するもので、その測定値が配線Ｈ１を介して中央管理手段２に送信されるようになっている。かかる体重計Ｄに加えて、治療前の患者の血圧を測定する血圧計を中央管理手段２に接続するようにしてもよい。
【００２５】
記憶手段３は、患者の固有情報及びその患者の治療条件に関する情報を記憶可能なものである。患者の固有情報は、上述の治療前の患者の体重（治療前の患者の血圧含む）の他、その患者に特有の情報（男性又は女性の識別、アレルギー等の有無、投薬の要否や種類、シャントの状態、或いは過去の治療情報等）であってもよい。また、本実施形態における患者の治療条件に関する情報には、患者の治療条件の他、患者の治療に必要な準備物（患者毎に仕様が異なる血液浄化器、血液回路、穿刺針、患者毎に要否が異なるテーピング、消毒液等）を含むものとされている。なお、受信手段４は、体重計Ｄから送信された測定値（患者の固有情報）等を受信し得るものである。
【００２６】
演算手段５は、受信手段４で受信した患者の固有情報に基づいてその患者の治療条件に関する情報を求めるものである。かかる演算手段５にて求められる患者の治療条件として、例えば透析治療時間、血流量（体外循環させる血液の流量）、透析液流量（血液浄化器に供給する透析液の流量）、補液量（補液の量）、補液速度、除水量（患者から取り除く水分の量）、除水速度、薬剤の投与量や投与速度、透析液や補液の温度、警報のレベル設定等の初期設定値が挙げられる。
【００２７】
ここで、本実施形態に係る受信手段４は、血液浄化手段１の治療側送信手段９から送信された患者特定情報及び血液浄化手段特定情報を受信可能とされている。そして、受信した患者特定情報で特定された患者と、記憶手段３で記憶された患者の固有情報及びその患者の治療条件に関する情報とを関連付け（紐付け）し、演算手段５にて上記の如き患者の治療条件を求め得るよう構成されている。
【００２８】
中央側送信手段６は、患者特定情報にて特定された患者の治療条件を血液浄化手段特定情報にて特定された血液浄化手段１に送信し得るものである。すなわち、血液浄化手段１のタッチパネル８にて入力された患者特定情報及び血液浄化手段特定情報は、治療側送信手段９によって中央管理手段２に送信され、その患者特定情報に基づいて中央管理手段２にてその患者の治療条件が求められるとともに、中央側送信手段６によって血液浄化手段特定情報で特定された血液浄化手段１に対し、その血液浄化手段１で治療を受ける患者（特定された患者）の治療条件を送信することができるのである。
【００２９】
中央側送信手段６により送信された患者の治療条件に関する情報は、血液浄化手段１の受信手段１０にて受信され、タッチパネル８（表示手段）に表示されるようになっている。かかる表示に基づいて、血液浄化手段１の治療に関わる設定が行われ、当該設定に基づいて制御手段１１による制御が行われ、その患者に適した血液浄化治療（血液透析治療）が行われることとなる。
【００３０】
また、本実施形態に係る中央側送信手段６は、患者特定情報にて特定された患者の治療条件に加え、その特定された患者の固有情報（治療前の体重や血圧情報の他、その患者に特有の情報（男性又は女性の識別、アレルギー等の有無、投薬の要否や種類、シャントの状態、或いは過去の治療情報等）であってもよい）、又はその患者の治療に必要な準備物（患者の固有情報及び準備物の両方を含む）を血液浄化手段に送信し得るとともに、当該中央側送信手段６から送信された患者の固有情報及び準備物を血液浄化手段１のタッチパネル８（表示手段）にて表示し得るよう構成されている。
【００３１】
判定手段７は、血液浄化手段特定情報にて特定された血液浄化手段１が患者特定情報にて特定された患者に適切か否かを判定するものである。かかる判定手段７によれば、例えば隣接する血液浄化手段１に対して患者である男性と女性とが設定される場合、担当の医療従事者から遠い位置の血液浄化手段１に対して具合の悪くなり易い患者が設定される場合等、これを不適切として判定することができる。なお、判定手段７により不適切と判定された場合、不適切な旨を血液浄化手段１の表示手段（本実施形態においてはタッチパネル８）に表示したり、或いは治療が行えないようにしてもよい。
【００３２】
次に、血液浄化手段１と中央監視手段２との間の通信について図３のタイムチャートに基づいて説明する。
先ず、治療室に入室した患者が体重計Ｄにて体重を測定すると、その測定値が中央管理手段２に送信されるとともに、当該中央管理手段２は、受信した測定値と記憶手段３で記憶された情報（ドライウェイト値等）とに基づいて治療条件（除水量等）を演算して決定する（Ｓ１）。また、医療従事者は、血液浄化手段１を操作して患者特定情報及び血液浄化手段特定情報を中央管理手段２に送信することにより、その特定された患者の治療条件を要求する（Ｓ２）。
【００３３】
中央管理手段２は、血液浄化手段１から患者特定情報及び血液浄化手段特定情報を受信すると、判定手段７により、血液浄化手段特定情報にて特定された血液浄化手段１が患者特定情報にて特定された患者に適切か否かを判定する（Ｓ３）。そして、判定手段７による判定の結果（Ｓ４）、特定された患者に適切である場合、特定された血液浄化手段１に治療条件を送信し（Ｓ５）、当該血液浄化手段１にて治療条件や初期設定値を登録する（Ｓ６）。なお、判定手段７による判定の結果（Ｓ４）、特定された患者に適切でない場合、その旨を血液浄化手段１のタッチパネル８に表示させたり、或いは適切な血液浄化手段１（血液浄化手段１を特定するＩＤや当該血液浄化手段１と対応するベッドのＩＤ等）を例えばタッチパネル８等にて表示して案内することができる。
【００３４】
次に、予め特定の患者に対して特定の血液浄化手段が割り当てられていない場合の血液浄化手段と中央管理手段との間の通信について、図４のタイムチャートに基づいて説明する。
医療従事者は、血液浄化手段１を操作して患者特定情報及び血液浄化手段特定情報を中央管理手段２に送信することにより、その特定された患者の治療条件を要求する（Ｓ１）。一方、中央管理手段２は、血液浄化手段１から患者特定情報及び血液浄化手段特定情報を受信すると、判定手段７により、血液浄化手段特定情報にて特定された血液浄化手段１が患者特定情報にて特定された患者に適切か否かを判定する（Ｓ２）。
【００３５】
そして、中央管理手段２は、判定手段７による判定の結果（Ｓ３）、特定された患者に適切である場合、例えば演算手段５による演算が必要ない情報（初期設定値等）を特定された血液浄化手段１に送信する（Ｓ４）とともに、その後の患者の入室後に行われた体重測定により、体重計Ｄから送信された測定値と記憶手段３で記憶された情報（ドライウェイト値等）とに基づいて治療条件（除水量等）を演算して決定し（Ｓ５）、血液浄化手段１に送信することで、当該血液浄化手段１にて治療条件や初期設定値が登録される（Ｓ６）。なお判定手段７による判定の結果（Ｓ３）、特定された患者に適切でない場合、その旨を血液浄化手段１のタッチパネル８等に表示させたり、或いは適切な血液浄化手段１（血液浄化手段１を特定するＩＤや当該血液浄化手段１と対応するベッドのＩＤ等）を例えばタッチパネル８等にて表示して案内することもできる。
【００３６】
次に、例えば割り当てられた血液浄化装置１が故障等することにより、他の血液浄化手段１に変更する場合の血液浄化手段と中央管理手段との間の通信について、図５のタイムチャートに基づいて説明する。
医療従事者は、変更先の血液浄化装置１を操作して患者特定情報及び血液浄化手段特定情報を中央管理手段２に送信することにより、その特定された患者の治療条件を要求する（Ｓ１）。
【００３７】
一方、中央管理手段２は、血液浄化手段１から患者特定情報及び血液浄化手段特定情報を受信すると、判定手段７により、血液浄化手段特定情報にて特定された血液浄化手段１が患者特定情報にて特定された患者に適切か否かを判定する（Ｓ２）。そして、判定手段７による判定の結果（Ｓ３）、特定された患者に適切である場合、変更前に登録されていた治療条件（除水量等）並びに中断までの治療経過情報を変更後の血液浄化手段１に送信し（Ｓ４）、登録する（Ｓ５）。なお、判定手段７による判定の結果（Ｓ３）、特定された患者に適切でない場合、適切な血液浄化手段１（血液浄化手段１を特定するＩＤや当該血液浄化手段１と対応するベッドのＩＤ等）を例えばタッチパネル８等にて表示して案内することができる。
【００３８】
上記実施形態によれば、血液浄化手段１のそれぞれに配設され、患者を特定し得る患者特定情報、及び血液浄化手段１を特定し得る血液浄化手段特定情報を中央管理手段２に送信し得る治療側送信手段９と、中央管理手段２に配設され、患者特定情報にて特定された患者の治療条件を血液浄化手段特定情報にて特定された血液浄化手段１に送信し得る中央側送信手段６とを備えたので、特定の患者を治療すべき血液浄化手段１の変更を容易に行わせることができるとともに、血液浄化治療における稼働率を向上させることができる。
【００３９】
すなわち、特定の患者を治療すべき血液浄化手段１が中央管理手段２にて治療前に予め設定（スケジュールとして管理設定）されている場合、血液浄化手段１が故障等して他の血液浄化手段１に変更する際、変更後の血液浄化手段１を操作してその治療側送信手段９から中央管理手段２に対して患者特定情報及び血液浄化手段特定情報を送信すれば、中央管理手段２の中央側送信手段６から患者特定情報にて特定された患者の治療条件を変更後の血液浄化手段１にて受信することができるので、変更作業を容易に行わせることができるのである。
【００４０】
なお、上記の如く治療前に予め設定された血液浄化手段１から他の血液浄化手段１に変更する際、患者特定情報及び血液浄化手段特定情報に加え、変更した旨の情報（例えば、治療前の設定を取り消し、他の血液浄化手段１に変更する旨の情報）を治療側送信手段９から送信するようにしてもよい。この場合、判定手段７にて変更後の血液浄化手段１がその患者にとって適切か否か判定し、中央側送信手段６から変更後の血液浄化手段１に送信して表示させるのが好ましい。
【００４１】
また、特定の患者を治療すべき血液浄化手段１が中央管理手段２にて治療前に予め設定されておらず、前の患者の治療が終了して空いた順に次の患者の治療を行わせる場合、治療前の設定を変更するための作業が不要とされるため、円滑な血液浄化治療を行わせることができるとともに、血液浄化治療における稼働率（治療室における患者の回転率）を向上させることができる。
【００４２】
さらに、本実施形態に係る血液浄化手段１は、治療過程の患者又は機器の状態を表示する表示手段としてのタッチパネル８を具備するとともに、中央側送信手段６から送信された患者の治療条件を当該タッチパネル８（表示手段）にて表示し得るので、中央側送信手段６から送信された患者の治療条件を医療従事者等に視認させることができ、より円滑な治療を行わせることができる。なお、タッチパネル８に代えて、別個の表示手段（入力操作ができない汎用の表示手段等）を具備させるようにしてもよい。
【００４３】
またさらに、本実施形態に係る中央側送信手段６は、患者特定情報にて特定された患者の治療条件に加え、その特定された患者の固有情報、又はその患者の治療に必要な準備物を血液浄化手段１に送信し得るとともに、当該中央側送信手段６から送信された患者の固有情報及び準備物を血液浄化手段１のタッチパネル８（表示手段）にて表示し得るので、中央側送信手段６から送信された患者の治療条件、患者の固有情報又は準備物を医療従事者等に視認させることができ、より円滑な治療準備や治療を行わせることができる。
【００４４】
特に、本実施形態に係る表示手段は、画面の所定部位を触れることにより所定の入力が可能なタッチパネル８から成るとともに、当該タッチパネル８にて患者特定情報及び血液浄化手段特定情報を入力可能とされたので、血液浄化手段１における入力及び表示を円滑且つ容易に行わせることができる。なお、タッチパネル８に代えて、別個の入力手段（表示ができない汎用の入力手段）を具備させるようにしてもよい。
【００４５】
また、本実施形態に係る中央管理手段２は、血液浄化手段特定情報にて特定された血液浄化手段１が患者特定情報にて特定された患者に適切か否かを判定する判定手段７を具備したので、患者特有の事情に応じた適切な治療を行わせることができる。すなわち、中央管理手段２が患者特定情報を受信すると、その特定された患者の固有情報と関連付け（紐付け）されるので、当該患者の固有情報に基づいて患者特有の事情を参酌することができるのである。
【００４６】
以上、本実施形態に係る血液浄化システムついて説明したが、本発明はこれに限定されるものではなく、例えば各血液浄化手段１と中央管理手段２とが無線ＬＡＮ等、配線を有さず双方向通信が可能に接続されたものであってもよい。また、本実施形態においては、専ら中央管理手段２の情報が各血液浄化手段１に送信されているが、中央管理手段２とは異なる他のサーバ（血液浄化治療とは直接関係のない会計システムや予約システム等のサーバ等）の情報を各血液浄化手段１に送信し得るものとしてもよい。なお、本実施形態においては、血液透析治療を行うシステムとされているが、他の血液浄化治療を行う血液浄化システムに適用するようにしてもよい。
【産業上の利用可能性】
【００４７】
血液浄化手段のそれぞれに配設され、患者を特定し得る患者特定情報、及び血液浄化手段を特定し得る血液浄化手段特定情報を中央管理手段に送信し得る治療側送信手段と、中央管理手段に配設され、患者特定情報にて特定された患者の治療条件を血液浄化手段特定情報にて特定された血液浄化手段に送信し得る中央側送信手段とを備えた血液浄化システムであれば、他の機能が付加されたもの等にも適用することができる。
【符号の説明】
【００４８】
１  血液浄化手段
２  中央管理手段
３  記憶手段
４  受信手段
５  演算手段
６  中央側送信手段
７  判定手段
８  タッチパネル（表示手段）
９  治療側送信手段
１０  受信手段
１１  制御手段
【図１】
2015181726.tif 000003
【図２】
2015181726.tif 000004
【図３】
2015181726.tif 000005
【図４】
2015181726.tif 000006
【図５】
2015181726.tif 000007